(57)【特許請求の範囲】
【請求項１】
データをアプリケーションに経路設定するワイヤレス装置であって：
前記データを受信する受信機；
前記受信機と結合されて、前記データを処理する処理システムであって、
前記受信したデータのデータ型を判断するデータ・タイパ；
アプリケーション・レジストリを格納するメモリであって、前記アプリケーション・レジストリは、前記データ型に基づいて、前記データを前記アプリケーションまたは前記メモリ内の記憶機構に経路設定するための経路設定情報を含む、前記メモリ；
前記経路設定情報を使用して、前記アプリケーション・レジストリをプログラムするためのレジストリ・プログラマ；および
前記データ型に対する前記経路設定情報に従って前記データを経路設定するデータ・ルータ；
を含む前記処理システム；および
前記処理システムに結合されて、外部装置を接続するための外部装置インタフェース；
を備え、
前記データ・ルータは、前記アプリケーションが前記外部装置内に位置することを前記経路設定情報が示す場合には、さらに前記外部装置のアクセス可能状態に従って前記データを経路設定するように構成されることを特徴とする、ワイヤレス装置。
【請求項２】
前記処理システムはさらに、前記アプリケーションが前記外部装置内に位置することを前記経路設定情報が示し、また前記外部装置が前記ワイヤレス装置にアクセス可能であることを、前記アクセス可能状態が示す場合に、前記外部装置内の前記アプリケーションに、前記データを経路設定するように構成されることを特徴とする請求項１記載のワイヤレス装置。
【請求項３】
前記アプリケーションが前記外部装置内に位置することを、前記経路設定情報が示し、前記外部装置が前記ワイヤレス装置にアクセス不能であることを、前記アクセス可能状態が示す場合に、前記ワイヤレス装置内の使用可能な互換性のあるアプリケーションに、前記データを経路設定するようにさらに構成されることを特徴とする請求項１記載のワイヤレス装置。
【請求項４】
前記処理システムはさらに、前記アプリケーションが前記外部装置内に位置すること、および互換性のあるアプリケーションが前記ワイヤレス装置の内部では使用不能であることを、前記経路設定情報が示し、かつ前記外部装置が前記ワイヤレス装置にアクセス不能であることを前記アクセス可能状態が示す場合に、前記メモリ内に前記データを記憶するように構成されることを特徴とする請求項１記載のワイヤレス装置。
【請求項５】
前記処理システムはさらに、外部記憶要素と結合されていること、および前記処理システムはさらに、前記アプリケーションが前記外部装置内に位置すること、および互換性のあるアプリケーションが、前記ワイヤレス装置の内部では使用不能であることを、前記経路設定情報が示し、かつ前記外部装置が前記ワイヤレス装置にアクセス不能であることを、前記アクセス可能状態が示す場合には、前記外部記憶要素内に、前記データを格納するように構成されることを特徴とする請求項１記載のワイヤレス装置。
【請求項６】
前記処理システムはさらに、前記アプリケーションが前記外部装置内に位置すること、および互換性のあるアプリケーションが、前記ワイヤレス装置の内部では使用不能であることを、前記経路設定情報が示し、かつ前記外部装置が前記ワイヤレス装置にアクセス不能であることを、前記アクセス可能状態が示す場合には、前記ワイヤレス装置の利用者に対して、前記ワイヤレス装置を前記外部装置と結合することを促すように構成されることを特徴とする、請求項１記載のワイヤレス装置。
【請求項７】
前記処理システムはさらに、前記データが格納された、以前はアクセス不能だった外部装置が、前記ワイヤレス装置にアクセス可能となったことを示す前記アクセス可能状態に応答して、前記外部装置に、前記データを送信することを特徴とする請求項１記載のワイヤレス装置。
【請求項８】
前記処理システムはさらに、前記アプリケーションにより前記データにアクセスするには、利用者制御が必要であることを、前記経路設定情報が示すときに、前記メモリの１つおよび外部記憶要素の中に、前記データを格納することを特徴とする請求項１記載のワイヤレス装置。
【請求項９】
前記ワイヤレス装置の利用者と対話するために、前記処理システムは、前記処理システムに結合される利用者インタフェースをさらに備え、前記処理システムはさらに、前記データが記憶機構に経路設定されたときに、前記利用者インタフェースを通じて、前記利用者に通知するように構成されて、前記利用者が、前記ワイヤレス装置と前記外部装置との少なくとも１つを制御して、互換性のあるアプリケーションによって、前記データにアクセスすることができる、請求項１記載のワイヤレス装置。
【発明の詳細な説明】
（産業上の利用分野）
本発明は、一般に、ワイヤレス通信システムに関し、さらに詳しくは、データをアプリケーションまたは記憶装置に経路設定するワイヤレス・モデムと、そのための方法に関する。
【０００１】
（従来の技術）
先行技術の選択的呼受信機（selective call receiver）は、直接利用者にメッセージング・サービスを提供する利用者アプリケーションによって構成されてきた。これらのアプリケーションは、英数字およびバイナリ・ベクトルなどの明示のメッセージング・ベクトルを用いて配信されるデータを受信している。利用者アプリケーションはそれぞれ、受信したメッセージのベクトル内の情報を利用して、利用者に表示するためにデータをフォーマットしている。外部装置用のワイヤレス・モデムとして利用される選択的呼受信機も、ベクトル・ベースの経路設定技術を使用してきた。
【０００２】
業界が、先行技術のベクトル・ベース方式に直接リンクされない新しいアプリケーションに向かうにつれ、新しいデータ形式を処理・配信する必要性が生じている。ワイヤレス・モデムの場合は特に、必要とされるそれぞれのデータ型の新しいベクトル型を追加するのは不適切であろう。ベクトルが増大すると、使用可能なベクトルを早く使い尽くしてしまう可能性があり、基本配信方式を拡大するのを困難にする。また、新しいアプリケーションが利用可能になるにつれ、インフラストラクチャの符号化部分で、新しいベクトルを利用可能にすることが必要となり、互換性を維持するためには相当の努力が必要である。
【０００３】
このため、ワイヤレス・モデムにおいて、適切なアプリケーションにデータを経路設定して、明示のメッセージング・ベクトルを必要とせずに、データを処理する方法と装置が必要とされる。この方法と装置は、ワイヤレス・モデムの内部と外部の両方に常駐するアプリケーションをサポートすることが望ましい。
【０００４】
（本発明の概要）
本発明の１つの側面は、データをアプリケーションに経路設定するワイヤレス装置である。このワイヤレス装置は、データを受信する受信機と、この受信機に結合されて、データを処理する処理システムとによって構成される。処理システムは、アプリケーション・レジストリを格納するメモリによって構成され、このメモリは、データ型に基づいて、データをアプリケーションまたはメモリ内の記憶機構に経路設定するための経路設定情報を含む。このワイヤレス装置はまた、処理システムと結合されて、外部装置とインタフェースをとるための外部装置インタフェースを含む。処理システムは、経路設定情報によって、アプリケーション・レジストリをプログラムし、ついで、データを受信して、データ型を判断するように構成される。処理システムはまた、当該データ型の経路設定情報に従って、またアプリケーションが外部装置内に位置することを経路設定情報が示す場合には、さらに外部装置のアクセス可能状態に従って、データを経路設定するように配列される。
【０００５】
（好適な実施例の説明）
図１は、本発明によるワイヤレス・メッセージング・システムの具体例の電気ブロック図であり、メッセージング・システムは、コントローラ１１２および複数の基地局１１６を含む固定部分１０２によって構成され、また、複数の携帯加入者装置１２２を含む。基地局１１６は、従来の無線周波数（ＲＦ）技術を用いて、加入者装置１２２と通信することが望ましく、基地局は通信リンク１１４により、コントローラ１１２と結合され、コントローラは、基地局１１６を制御する。携帯加入者装置１２２のほかに、基地局１１６は、本発明によるワイヤレス・モデム１２４と通信する。ワイヤレス・モデム１２４は、従来型パーソナル・コンピュータ（ＰＣ）または携帯情報端末（ＰＤＡ）など、少なくとも１つの外部装置１２６と結合されるのが望ましい。
【０００６】
コントローラ１１２のハードウェアは、ワイヤレス・メッセージング・ゲートウェイ（ＷＭＧTM）アドミニストレータ！ページング端末と、モトローラ社製のＲＦ-コンダクタ！TMメッセージ配信装置とを組み合わせたものであり、本発明により変更されるソフトウェアを含むことが望ましい。基地局１１６のハードウェアは、ＲＦ-オーケストラ！送信機であることが望ましく、双方向メッセージング・システムであるモトローラ社製のＲＦ-オーディエンスTM受信機を含むことができる。加入者装置１２２は、従来型の選択的呼受信機である。ワイヤレス・モデム１２４は、モトローラ社製のクリエータリンクTMワイヤレス・モデムと同種ものであることが望ましく、本発明により変更されるソフトウェアを有する。コントローラ１１２，基地局１１６，ワイヤレス・モデム１２４，および携帯加入者装置１２２に対しては、他の同様のハードウェアも同様に利用できることを理解されたい。
【０００７】
各基地局１１６は、アンテナ１１８を介して、ＲＦ信号を、携帯加入者装置１２２とワイヤレス・モデム１２４とに送信する。基地局１１６により送信されるＲＦ信号（出発メッセージ）は、携帯加入者装置１２２とワイヤレス・モデム１２４とを識別する選択的呼アドレス，発呼者やコンピュータ・システムにより発信されるデータ・メッセージ，および無線通信システムの動作パラメータを調整するために、コントローラ１１２により発信されるコマンドによって構成されることが望ましい。
【０００８】
コントローラ１１２は、電話リンク１０１により、一般加入電話網（ＰＳＴＮ）と結合されて、そこからの選択的呼メッセージの発信を受信する。ＰＳＴＮ１１０からの音声とデータのメッセージによって構成される選択的呼発信は、例えば、ＰＳＴＮ１１０と結合される電話１１１または従来型コンピュータ１１３から生成できる。また、例えば、パケット交換網，インターネットおよびローカル・エリア・ネットワーク（ＬＡＮ）のような他の型の通信網も同様に、発信されたメッセージをコントローラ１１２に送るのに利用できる。
【０００９】
出発メッセージと到着メッセージに利用されるワイヤレス・プロトコルは、モトローラ社のよく知られるＦＬＥＸTMデジタル選択呼信号プロトコル群から選択されるのが望ましい。これらのプロトコルは、周知の誤り検出および誤り訂正技術を利用しており、そのため、ビット誤りがそれほど多くないのであれば、送信中に発生するビット誤りに強い。他の適切なプロトコルも同様に使用できることを理解されたい。また、本発明を実施するために図示された実施例は、一方向メッセージング・システムであるが、本発明は、双方向メッセージング・システムにも適用可能であることを理解されたい。
【００１０】
図２は、本発明によるワイヤレス・モデム１２４の具体例の電気ブロック図であり、このモデムは、少なくとも１つの外部装置１２６および外部記憶要素２３６と結合される。ワイヤレス・モデム１２４は、アンテナ２０４によって構成され、これは、出発メッセージを傍受し、（選択的に）基本受信機（図示されず）に到着メッセージを送信する。アンテナ２０４は、従来型受信機２０８と結合されて、出発メッセージを受信し、選択的に、従来型送信機２０９と結合されて、到着メッセージを送信する。受信機２０８と（オプションの）送信機２０９は、処理システム２０６と結合されて、出発メッセージを処理し、かつ本発明によるワイヤレス・モデム１２４を制御する。利用者インタフェース２１４はまた、処理システム２０６と結合されて、利用者とインタフェースをとる。利用者インタフェース２１４は、メッセージを表示する従来型ディスプレイ２１６，メッセージの到着を利用者に知らせる従来型アラート要素２１８，およびワイヤレス・モデム１２４を制御する従来型キーボード２１８によって構成されるのが望ましい。従来型外部装置インタフェース２０７はまた、処理システム２０６と結合されて、周知の技術により、少なくとも１つの外部装置１２６と通信する。外部装置インタフェース２０７はまた、外部記憶要素２３６と結合されて、処理システム２０６の記憶容量を増加することが望ましい。外部記憶要素２３６は、Personal Computer Memory Card International Association（ＰＣＭＣＩＡ）メモリ・カードなど、従来型の取り外し可能メモリ・カードであることが望ましい。また、他の型の記憶装置、例えば、磁気ディスク・メモリも、同様に外部記憶要素として利用できることを理解されたい。
【００１１】
処理システム２０６は、従来型プロセッサ２１０と従来型メモリ２１２とによって構成される。メモリ２１２は、ソフトウェア要素と他の変数を格納して、本発明により処理システム２０６をプログラミングする。メモリ２１２は、選択的呼アドレス２２２を含むことが望ましく、このアドレスに対しワイヤレス・モデム１２４が反応する。さらに、メモリ２１２は、処理システム２０６をプログラミングするメッセージ処理要素２２４を含み、周知の技術によってメッセージを処理する。メモリ２１４はさらに、データ型に基づいて、被受信データを、本発明により、アプリケーションまたは記憶装置（例：メモリ２１２または外部記憶要素２３６の中）に経路設定するための経路設定情報を含むアプリケーション・レジストリ２２６によって構成される。メモリ２１２はまた、処理システムをプログラミングするためのレジストリ・プログラマ２２８を含み、アプリケーション・レジストリ２２６をプログラムする。アプリケーション・レジストリ２２６のプログラミングは、周知の技術を用いて、ワイヤレス・モデム１２４にロードされたアプリケーションのインストール処理の一部として行われることが望ましい。ワイヤレス・モデム１２４からのデータを経路設定する必要がある外部装置１２６のアプリケーションは、周知の初期化技術を用いて、ワイヤレス・モデム１２４と外部装置１２６との折衝中に、自らを登録することが望ましい。また、アプリケーション・レジストリ２２６のプログラミングは、ワイヤレス・モデム１２４の製造中、または従来のワイヤレス・プログラミング方法によって、コントローラからのダウンロードとして実施できることを理解されたい。
【００１２】
さらに、メモリ２１２は、処理システム２０６をプログラミングするためのデータ・タイパ（typer）２３０を含み、データとともに送信され、メッセージング・システムのインフラストラクチャ（例：コントローラ１１２）により供給されるのが望ましいデータ型識別子４０４（図４）から、データ型を決定する。また、データ・タイパ２３０は、データの最初の２から３バイトを分析し、その中からキー・コード値およびデリミタを探すことによって、データ型を判断できることも理解されたい。メモリ２１２はまた、データ・ルータ２３２を含み、これは、処理システム２０６をプログラミングして、データ型の経路設定情報（アプリケーション・レジストリ内にある）に従って、またアプリケーションが外部装置１２６内に位置することを経路設定情報が示すときには、さらに外部装置１２６のアクセス可能状態２４２に従って、データを経路設定する。メモリ２１２はさらに、データがアプリケーションに直接経路設定できないときに、被受信データを格納するためのデータ記憶機構２３８によって構成される。メモリはまた、プロンプタ２４０を含み、これは、必要なときに、利用者インタフェースを通じて、プロンプトと利用者への通知を生成する。また、メモリ２１２は、外部装置１２６に対応する少なくとも１つのアクセス可能状態２４２を含み、これは、外部装置１２６が、外部装置インタフェース２０７と結合され、ワイヤレス・モデム１２４とアクセス可能であると、すなわち、パワー・アップされて動作可能と判断されるかどうかを示す。処理システム２０６は、各外部装置のアクセス可能状態２４２を、例えば、周知の技術によって、外部装置１２６を「ピンジング」（pinging）して、外部装置１２６が適切に応答するかどうかを見ることにより、定期的に更新することが望ましい。メモリ２１２はまた、少なくとも１つのアプリケーション２４４を含み、被受信データを処理することが望ましい。
【００１３】
図３は、本発明によるアプリケーション・レジストリ２２６の具体例の詳細図である。アプリケーション・レジストリ２２６は、データ型に対応する各入力に対して１行の情報３０２を含む。レジストリ２２６のカラムは、データ型，アプリケーション名，アプリケーション位置，データが存在するときに誰に知らせるべきか，および当該入力の経路設定をリストする。一部のデータ型（例：“ｉｒｃ”データ型）は、複数の入力を有することに注意されたい。データ型が複数の入力を有するときには、最上位の入力が優先されるが、最上位の入力が経路設定に使用できないときには、下位レベルの入力も使用できる。例えば、“ｉｒｃ”データ型は、外部装置にアクセス可能なときには、外部装置１２６内のアプリケーション“ｍＩＲＣ”に送られるのが望ましい。しかしながら、外部装置１２６にアクセスできないときには、“ｉｒｃ”データ型は、ワイヤレス・モデム１２４内の「ページチャット」アプリケーションに送られる。さらに、ある一定のデータ型（例“ｔｅｘｔ／＊”データ型）は、「利用者制御の」処理を有する。すなわち、データは、データ記憶機構２３８、例えば、“／ｍｓｇ”というファイル内に格納され、利用者に、データが到着したことが知らされるが、このデータは、利用者が、ワイヤレス・モデム１２４または外部装置１２６を通じて、データにアクセスするまでは、アプリケーションに送られない。
【００１４】
図４は、基地局１１６とワイヤレス・モデム１２４との間の本発明による通信の具体例である単純化されたプロトコル図である。ダイアグラム４００は、周知の技術によって、受信機２０８と、基地局１１６の送信とを同期させる同期部分４０２を含む。ダイアグラム４００はまた、データ型を識別するためのデータ型識別子４０４を含む。また、ダイアグラム４００は、処理対象のデータを含む。
【００１５】
図５から図８は、本発明によるワイヤレス・モデム１２４の動作を示す流れ図である。図５の流れ図５００を参照して、アプリケーションが、ワイヤレス・モデム１２４に追加されているかどうか、処理システムのチェックを定期的に行う５０２。追加されている場合には、レジストリ・プログラマ２２８は、インストール中にアプリケーションと協調動作して、図３の具体例であるアプリケーション・レジストリ２２６に示されるように、アプリケーション・レジストリ２２６をデータ型およびデータ経路設定情報によってプログラムする５０４。
【００１６】
図６の流れ図６００を参照して、データ受信に応答するワイヤレス・モデム１２４の動作が示される。流れは、処理システム２０６が、データを受信するのに待機する段階６０２から始まる。データが受信されると、処理システム２０６はデータ・タイパ２３０にアクセスして、周知の技術によって、データ型を判断する６０４。処理システムはついで、アプリケーション・レジストリ２２６にアクセスして、データ型の経路設定情報を入手する６０６。処理システム２０６はついで、外部アプリケーションが外部装置１２６（例：ＰＣ）において使用可能であることを経路設定情報が示しているかどうか、チェックする６０８。使用可能である場合には、処理システム２０６は、外部装置１２６に対応するアクセス可能状態２４２をチェックして、外部装置１２６にアクセス可能であるか、すなわち、結合されて動作可能であるかどうかを判断する６１０。アクセス可能である場合には、処理システム２０６は、データ型の処理が利用者により制御されているかどうか、すなわち、通常、記憶装置に送られてから、利用者のコマンドに応答して処理しているかどうかをチェックする６１２。利用者により制御されている場合には、処理システム２０６は、データを、好適には処理システム２０６のデータ記憶機構２３８内、または外部記憶要素２３６の中に格納する６２４。処理システム２０６はついで、例えば、アラート要素２１８からの警告により、データが格納されて、ワイヤレス・モデム１２４または外部装置１２６を制御して、互換性のあるアプリケーションを通じてデータにアクセスできることを利用者に知らせる６２６。ついで、流れは、段階６０２に戻り、新しいデータを待つ。
【００１７】
他方、段階６１２において、データ型の処理が利用者により制御されない、すなわち、データがアプリケーションに自動的に経路設定されると、処理システム２０６が判断する場合には、処理システム２０６は、データを外部アプリケーションに経路設定し６１４、流れは段階６０２に戻って、新しいデータを待つ。また、段階６１０において、処理システム２０６が、外部装置にアクセス不能であると判断する場合には、流れは段階６１６に移行して、そこで、処理システム２０６は再び、アプリケーション・レジストリ２２６にアクセスして、互換性のある内部アプリケーションが、当該データ型に対して使用可能であるかどうかを判断する。使用可能である場合には、処理システム２０６は、データ型の処理が、利用者により制御されるかどうかをチェックする６２２。利用者により制御される場合には、処理システム２０６は、データを、好適には、処理システム２０６のデータ記憶機構２３８の中、または外部記憶要素２３６の中に格納する６２４。処理システム２０６はついで、例えば、アラート要素２１８からの警告により、データが記憶装置内にあり、ワイヤレス・モデム１２４または外部装置１２６を制御して、互換性のあるアプリケーションを通じて、データにアクセスできることを利用者に知らせる６２６。流れはついで、段階６０２に戻り、新しいデータを待つ。
【００１８】
他方、段階６２２で、データ型の処理が利用者により制御されないと、処理システム２０６が判断する場合には、処理システム２０６は、データを内部アプリケーションに経路設定し６２８、流れは段階６０２に戻って、新しいデータを待つ。また、段階６１６において、内部アプリケーションを使用できないと処理システム２０６が判断する場合には、処理システム２０６は、データを格納し６１８、ワイヤレス・モデム１２４の利用者に対して、ワイヤレス・モデム１２４を外部装置１２６に結合して、データを処理できるように促す６２０。一部のデータ、例えば、ウェブ・ページの既存のビュー上で、オブジェクトを表示するデータ型“ｈｔｔｐ”は、即時に処理されなければ、ほとんど、または全く意味をもたないことを理解されたい。このようなデータの場合、アプリケーションが使用不能であるときに、データを格納する代わりに、処理システム２０６は、データを無視して、それ以上の措置を取らないこともできる。
【００１９】
他方、段階６０８において、外部アプリケーションが使用不能であると、処理システム２０６が判断する場合には、流れは段階６１６に移行して、そこで、処理システム２０６は、前述のように、内部アプリケーションが使用可能であるかどうかをチェックする。データが段階６２４または段階６１８のいずれかで格納されるときは常に、図７または図８に記載されるルーティンが使用されて、データをさらに処理できる。
【００２０】
図７の流れ図７００を参照して、処理システム２０６は、各外部装置１２６のアクセス可能状態２４２を定期的にチェックして７０２、以前はアクセス不能の外部装置１２６が、ワイヤレス・モデム１２４に対してアクセス可能になっているかどうかを判断する７０２。アクセス可能になっている場合には、処理システム２０６はまた、データ記憶機構２３８および（使用可能な場合には）外部記憶要素２３６をチェックして７０４、外部装置内のアプリケーションのために、任意のデータが格納されるかどうかを判断する。格納される場合には、処理システム２０６は、アプリケーション・レジストリ２２６の経路設定情報から判断されるように、外部装置内の適切なアプリケーションに、格納されたデータを送信し７０６、処理が終了する。格納されていない場合には、処理が終了する。
【００２１】
図８の流れ図８００を参照して、ワイヤレス・モデム１２４が、利用者の要求に応答する動作が示される。段階８０２で、利用者は、格納されたデータへのアクセスを要求する。例えば、利用者は、以前に受信されて格納されたメッセージの表示を要求することができる。処理システムは、これに応答して、アプリケーション・レジストリ２２６の経路設定情報から判断されるように、互換性のある内部または外部アプリケーションによって、要求されたデータにアクセスする。
【００２２】
このため、以上述べてきた開示事項から、本発明は、ワイヤレス・モデムにおいて、適切なアプリケーションにデータを経路設定して、明示のメッセージング・ベクトルを必要とせずに、データを処理する方法と、その装置を提供し、これにより、新しいデータ型が出現するときの、手間と費用がかかるベクトルの増大を防止するメリットを有することが明らかであろう。もう１つの利点は、この方法および装置が、ワイヤレス・モデムの内部と外部の両方に常駐するアプリケーションをサポートすることである。上記教示事項に鑑み、本発明については多くの変形およびバリエーションが考えられる。このため、添付請求の範囲に属する形で、本発明は、上記記載以外のやり方でも実施できることを理解されたい。
【図面の簡単な説明】
【図１】  本発明によるワイヤレス・メッセージング・システムの具体例の電気ブロック図である。
【図２】  外部装置と外部記憶要素とに結合された本発明によるワイヤレス・モデムの具体例の電気ブロック図である。
【図３】  本発明によるアプリケーション・レジストリの具体例である詳細図である。
【図４】  本発明による具体例のプロトコル・ダイヤグラムである。
【図５】  本発明によるワイヤレス・モデムの動作を示す流れ図である。
【図６】  本発明によるワイヤレス・モデムの動作を示す流れ図である。
【図７】  本発明によるワイヤレス・モデムの動作を示す流れ図である。
【図８】  本発明によるワイヤレス・モデムの動作を示す流れ図である。
【図１】
0004369050.tif 000002
【図２】
0004369050.tif 000003
【図３】
0004369050.tif 000004
【図４】
0004369050.tif 000005
【図５】
0004369050.tif 000006
【図６】
0004369050.tif 000007
【図７】
0004369050.tif 000008
【図８】
0004369050.tif 000009